(57)【特許請求の範囲】
【請求項１】
画像情報コーディング時符号化表示方法において、ＣＯＤフィールドを拡張し、ＭＶ及びＤＣＴがいずれも符号化されてないことと、ＭＶ及びＤＣＴがいずれも符号化されていること、及びＭＶのみ符号化されたことを表すようにして画像の符号化を行い、前記ＣＯＤフィールドは、ビットが“１１”の場合ＭＶ及びＤＣＴがいずれも符号化されてないことを表し、“００”の場合ＭＶ及びＤＣＴがいずれも符号化されていることを表すとともに、“０１”の場合ＭＶのみ符号化されていることを表し、エラーの存在するチャンネルにおいて用いる場合、前記ＣＯＤフィールドは、エラー許容モードで“００”と“１１”の二値のみ使用することを特徴とする画像情報コーディング時符号化表示方法。
【請求項２】
画像情報コーディング時符号化表示方法において、ＣＯＤフィールドを拡張し、ＭＶ及びＤＣＴがいずれも符号化されてないことと、ＭＶ及びＤＣＴがいずれも符号化されていること、及びＭＶのみ符号化されたことを表すようにして画像の符号化を行い、前記拡張されたＣＯＤフィールドは、少なくとも２ビットであり、前記ＣＯＤフィールドは、ビットが“１１”の場合ＭＶ及びＤＣＴがいずれも符号化されてないことを表し、“００”の場合ＭＶ及びＤＣＴがいずれも符号化されていることを表すとともに、“０１”の場合ＭＶのみ符号化されていることを表し、エラーの存在するチャンネルにおいて用いる場合、前記ＣＯＤフィールドは、エラー許容モードで“００”と“１１”の二値のみ使用することを特徴とする画像情報コーディング時符号化表示方法。
【請求項３】
画像情報コーディング時符号化表示方法において、ＣＯＤフィールドを拡張し、ＭＶ及びＤＣＴがいずれも符号化されてないことと、ＭＶ及びＤＣＴがいずれも符号化されていること、及びＭＶのみ符号化されたことを表すようにして画像の符号化を行い、前記拡張されたＣＯＤフィールドは、Ｈ．２６３及びまたはＭＰＥＧ−４符号化標準において使用され、前記ＣＯＤフィールドは、ビットが“１１”の場合ＭＶ及びＤＣＴがいずれも符号化されてないことを表し、“００”の場合ＭＶ及びＤＣＴがいずれも符号化されていることを表すとともに、“０１”の場合ＭＶのみ符号化されていることを表し、エラーの存在するチャンネルにおいて用いる場合、前記ＣＯＤフィールドは、エラー許容モードで“００”と“１１”の二値のみ使用することを特徴とする画像情報コーディング時符号化表示方法。
【発明の詳細な説明】
【０００１】
【発明の属する技術分野】
本発明は画像情報コーディング方法に係り、特に、ブロックの画像情報フィールドの拡張を通した符号化有無の表示方法に関する。さらには、本発明は、符号化有無表示情報フィールドの拡張を通した符号化有無の表示方法をエラー許容モードに活かし、符号化される画像情報の特性によるビット量を低減させる画像ビット量低減方法に関する。
【０００２】
【従来の技術】
一般に、ブロック（Ｂｌｏｃｋ）基盤コデック、対象（Ｏｂｊｅｃｔ）基盤コデック、形状（Ｓｈａｐｅ）基盤コデックの場合、動画像符号化方法に主に利用される技術は、あるブロックを符号化するために前フレームにおいて現ブロックと最も似た部分を表す動きベクトル（Ｍｏｔｉｏｎ  Ｖｅｃｔｏｒ：ＭＶ）と、その実際データとの差に対する実際値あるいは変形された（例えばＤＣＴ）値を夫々符号化してデータを生成する。
かかる二つの特徴的な値のビットストリーム（ｂｉｔ  ｓｔｒｅａｍ）における符号化有無を知らせるために、Ｈ．２６３とＭＰＥＧ−４では“ＣＯＤ（ｃｏｄｅ）”を用いている。このＣＯＤは、ビットストリーム内で符号化有無を示すフィールドであって、コードを示す略語である。
【０００３】
図１は、従来のビットストリームにおける符号化有無を表す方法を示している概念図である。
図１に示すように、ＣＯＤフィールドの１ビット値で動きベクトルとＤＣＴ（Ｄｉｓｃｒｅｔｅ  Ｃｏｓｉｎｅ  Ｔｒａｎｓｆｏｒｍ）係数の符号化有無を表す。すなわち、ＣＯＤフィールドのビットが“０”であればＭＶ及びＤＣＴが符号化されていることを表し、“１”であればＭＶ及びＤＣＴが符号化されていないことを表す。
しかし乍ら、このＣＯＤフィールドを用いブロックの符号化有無を知らせる場合、１ビットのみでこのような情報を表すことにより、時にはエラーの存在するチャンネルにおいて用いる場合、この１ビットのエラーのみで全体の情報が間違えて解釈される場合が生じ易くなる。
さらに、一定の背景下の画像動きの場合、実際の符号化にあたって動きベクトル（ＭＶ）のみを必要とし、その差値（ＤＣＴ）は必要としない場合がある。しかし乍ら、既存の場合はこの差値（ＤＣＴ）も符号化されビット量が増大する欠点があった。
【０００４】
【発明が解決しようとする課題】
本発明は上記事情に鑑みて成されたものであり、その目的は、Ｈ．２６３とＭＰＥＧ−４において使用する“ＣＯＤ”フィールドを拡張し、エラーの存在するチャンネルにおいて画像情報が送られる場合、誤った解釈を防止することができる画像情報コーディング時符号化表示方法を提供することにある。
本発明の他の目的は、”ＣＯＤ”フィールドを拡張し、画像の動きが一定した情報に対しては既存よりも少量で符号化されたデータを生じさせる画像情報コーディング時符号化表示方法を提供することにある。
【０００５】
【課題を解決するための手段】
前記目的を達成するために、本発明にかかる画像情報コーディング時符号化表示方法は、ＣＯＤフィールドを拡張し、ＭＶ及びＤＣＴがいずれも符号化されてないことと、ＭＶ及びＤＣＴがいずれも符号化されていること、及びＭＶのみ符号化されたことを表すようにして画像の符号化を行い、前記ＣＯＤフィールドは、ビットが“１１”の場合ＭＶ及びＤＣＴがいずれも符号化されてないことを表し、“００”の場合ＭＶ及びＤＣＴがいずれも符号化されていることを表すとともに、“０１”の場合ＭＶのみ符号化されていることを表し、エラーの存在するチャンネルにおいて用いる場合、前記ＣＯＤフィールドは、エラー許容モードで“００”と“１１”の二値のみ使用することを特徴とする。また、本方法は、ＣＯＤフィールドを拡張し、ＭＶ及びＤＣＴがいずれも符号化されてないことと、ＭＶ及びＤＣＴがいずれも符号化されていること、及びＭＶのみ符号化されたことを表すようにして画像の符号化を行い、前記拡張されたＣＯＤフィールドは、少なくとも２ビットであり、前記ＣＯＤフィールドは、ビットが“１１”の場合ＭＶ及びＤＣＴがいずれも符号化されてないことを表し、“００”の場合ＭＶ及びＤＣＴがいずれも符号化されていることを表すとともに、“０１”の場合ＭＶのみ符号化されていることを表し、エラーの存在するチャンネルにおいて用いる場合、前記ＣＯＤフィールドは、エラー許容モードで“００”と“１１”の二値のみ使用することを特徴とする。また、本方法は、ＣＯＤフィールドを拡張し、ＭＶ及びＤＣＴがいずれも符号化されてないことと、ＭＶ及びＤＣＴがいずれも符号化されていること、及びＭＶのみ符号化されたことを表すようにして画像の符号化を行い、前記拡張されたＣＯＤフィールドは、Ｈ．２６３及びまたはＭＰＥＧ−４符号化標準において使用され、前記ＣＯＤフィールドは、ビットが“１１”の場合ＭＶ及びＤＣＴがいずれも符号化されてないことを表し、“００”の場合ＭＶ及びＤＣＴがいずれも符号化されていることを表すとともに、“０１”の場合ＭＶのみ符号化されていることを表し、エラーの存在するチャンネルにおいて用いる場合、前記ＣＯＤフィールドは、エラー許容モードで“００”と“１１”の二値のみ使用することを特徴とする。
【０００６】
【発明の実施の形態】
以下、添付された図面に基づき本発明の好適な実施形態について説明する。
図２は、本発明にかかるビットストリームにおける符号化の有無を表す方法を示す概念図である。
【０００７】
図２に示すように、ＣＯＤフィールドの１ビットを広げることにより、間違えたＣＯＤ情報のデコーディングへの可能性を減らし、しかも動きベクトルのみで情報を十分表現しうる画像に対しては既存よりも少量で符号化されたデータを生じさせうるようにする。すなわち、ＣＯＤフィールドを二つの代表的な値の符号化有無のみ表すものでなく、この二つの値中動きベクトルのみ必要な場合も含める。そのために、ＣＯＤフィールドを２ビットテーブル化する。つまり、２ビットが“１１”の場合、ＭＶ及びＤＣＴがいずれも符号化されていないことを表し、“００”の場合ＭＶ及びＤＣＴがいずれも符号化されていることを表し、“０１”の場合ＭＶのみ符号化されていることを表す。ここで、“１０”の場合は、定義してはいないが、ＤＣＴのみ符号化されていることを表すことができる。
【０００８】
このＣＯＤの表現を通じて、エラー許容モードにおいてビデオコデックが符号化をする場合は、“０１”の誤った伝送を防止するために、“００”と“１１”の二値のみ使用する。これにより、エラーの存在するチャンネルにおいては１ビットでＣＯＤを表現する場合とは異なって、誤った解釈の可能性を減らしている。
【０００９】
さらに、エラー許容モードで一つのパケット化したデータを分割して伝送する場合、以下の如き方法が利用されうる。すなわち、パケット内のＣＯＤの“１”の個数をＶＬＣで符号化しＣＯＤ以前に伝送する。このとき、結合されたコードがいずれも“００”の場合は“０”を、いずれも“１１”の場合は“１”を伝送し、元のＣＯＤは伝送しない。そして、他の組み合わせはＶＬＣとＣＯＤの元の符号をそのまま伝送する。このようにＣＯＤの情報フィールドを拡張することにより、エラー許容モードに一層強靭に適用可能である。
【００１０】
【発明の効果】
以上述べたように、本発明によれば、ＣＯＤフィールドを拡張させることにより、エラーの存在するチャンネルにおいてはエラー許容モードで使用が可能になり、画像の動きが一定した背景下では画像情報符号化時既存よりもビット量を減少させることができる。
【００１１】
本発明は上記実施形態に限定されず、本発明の思想内で当業者による変形が可能であることはもちろんである。例えば、本発明の画像情報コーディング時符号化表示方法において、ＣＯＤフィールドのビットを２ビット以上にすることが可能であることは当業者にとって明らかである。さらに、本発明の画像情報コーディング時符号化表示方法に適用されるエラーの存在するチャンネルを判断することと、画像の動きが一定した背景下においてなされることを判断することは当業者にとって明らかであるため、その具体的な説明は略している。
【図面の簡単な説明】
【図１】  従来のビットストリームにおける符号化有無を表す方法を示す概念図である。
【図２】  本発明にかかるビットストリームにおける符号化有無を表す方法を示す概念図である。
【図１】
0003803296.tif 000002
【図２】
0003803296.tif 000003